(57)【要約】【課題】用紙の種類などに拘わらず用紙の重送を確実に検知することを可能にする。【解決手段】用紙を収容する給紙トレイと、前記給紙トレイから給紙される前記用紙を搬送する用紙搬送部と、前記用紙搬送部で搬送される用紙の重送を検知する重送検知部と、前記搬送および検知を制御する制御部とを備え、前記制御部は、前記重送検知部の検知結果を受け、該検知結果に対する複数の検知方式を切り替えて前記重送の検知を行うことで、通常の重送判定では重送検知が行えない用紙でも重送を検知して、できるだけ早く搬送を停止して無駄な用紙の搬送を防ぐことができ、用紙搬送モータ類の過負荷によるＳＣ（サービスマンコール）停止を防ぎ、リカバリーが可能になる。【選択図】図５
2015074532.tif 000002
【特許請求の範囲】
【請求項１】
用紙を収容する給紙トレイと、
前記給紙トレイから給紙される前記用紙を搬送する用紙搬送部と、
前記用紙搬送部で搬送される用紙の重送を検知する重送検知部と、
前記用紙の搬送および前記重送の検知を制御する制御部とを備え、
前記制御部は、前記重送検知部の検知結果に基づき重送の検知を行うとともに、該検知結果に対する複数の検知方式を切り替えることを特徴とする画像形成システム。
【請求項２】
前記制御部は、搬送する用紙の情報に基づいて前記検知方式を切り替えることを特徴とする請求項１記載の画像形成システム。
【請求項３】
前記用紙の情報が、用紙の紙種、用紙サイズ、坪量のうちの少なくとも１つであることを特徴とする請求項２記載の画像形成システム。
【請求項４】
前記制御部は、用紙が給紙されるトレイに対する検知設定に応じて前記検知方式を切り替えることを特徴とする請求項１〜３のいずれか１項に記載の画像形成システム。
【請求項５】
前記制御部は、前記検知方式の切り替えに関するユーザー設定を可能にすることを特徴とする請求項１〜４のいずれか１項に記載の画像形成システム。
【請求項６】
前記制御部は、前記検知方式の切り替えに関し、ユーザー設定と印刷条件とによる設定を両方を有する場合、前記ユーザー設定を優先して前記検知方式の切り替えを行うことを特徴とする請求項１〜５のいずれか１項に記載の画像形成システム。
【請求項７】
前記制御部は、前記複数の方式のうち、通常は第１の検知方式を用い、条件に応じて第２の検知方式に切り替えて前記重送の検知を行うことを特徴とする請求項１〜６のいずれか１項に記載の画像形成システム。
【請求項８】
前記制御部は、前記複数の方式のうち、通常は第１の検知方式と第２の検知方式を併用し、条件に応じて第２の検知方式のみに切り替えて前記重送の検知を行うことを特徴とする請求項１〜６のいずれか１項に記載の画像形成システム。
【請求項９】
前記制御部は、前記複数の方式のうち、前記第１の検知方式は、用紙の重なりを検知することを特徴とする請求項１〜８のいずれか１項に記載の画像形成システム。
【請求項１０】
前記制御部は、前記複数の方式のうち、前記第２の検知方式は、用紙の通紙方向長さを検出することを特徴とする請求項１〜９のいずれか１項に記載の画像形成システム。
【請求項１１】
前記第２の検知方式で用紙の通紙方向長さを検出する際のマージンは、通紙方向長さを検出する他の検知部とは異なるマージンとすることを特徴とする請求項１０記載の画像形成システム。
【請求項１２】
前記重送検知部が超音波を用いたものであり、前記他の検知部が光透過を用いたものであることを特徴とする請求項１１記載の画像形成システム。
【請求項１３】
前記制御部は、前記第１の検知方式と前記第２の検知方式とで、判定に用いる検知結果のしきい値を異なるものにすることを特徴とする請求項７〜１２のいずれか１項に記載の画像形成システム。
【請求項１４】
前記重送検知部が、放射量が一定の超音波センサまたは光センサであることを特徴とする請求項１〜１３のいずれか１項に記載の画像形成システム。
【請求項１５】
搬送される用紙を重送検知部で検知する際に、前記重送検知部の検知結果に基づき重送の検知を行うとともに、該検知結果に対する複数の検知方式を切り替えることを特徴とする画像形成システムの重送判定方法。
【請求項１６】
搬送する用紙の情報に基づいて前記検知方式を切り替えて前記重送の検知を行うことを特徴とする請求項１５記載の画像形成システムの重送判定方法。
【請求項１７】
画像形成に際し、通常は第１の検知方式を用い、条件に応じて第２の検知方式に切り替えて前記重送の検知を行うことを特徴とする請求項１５または１６に記載の画像形成システムの重送判定方法。
【請求項１８】
画像形成に際し、通常は第１の検知方式と第２の検知方式を併用し、条件に応じて第２の検知方式のみに切り替えて前記重送の検知を行うことを特徴とする請求項１５または１６に記載の画像形成システムの重送判定方法。
【請求項１９】
前記第１の検知方式は、用紙の重なりを検知することを特徴とする請求項１４〜１８のいずれか１項に記載の画像形成システムの重送判定方法。
【請求項２０】
前記第２の検知方式は、用紙の通紙方向長さを検出することを特徴とする請求項１４〜１９のいずれか１項に記載の画像形成システムの重送判定方法。
【請求項２１】
用紙が給紙されるトレイに対する検知設定に応じて前記検知方式を切り替えて前記重送の検知を行うことを特徴とする請求項１５または１６のいずれか１項に記載の画像形成システムの重送判定方法。
【発明の詳細な説明】
【技術分野】
【０００１】
この発明は、用紙搬送部における用紙の重送を検知する画像形成システムおよび画像形成システムの重送判定方法に関する。
【背景技術】
【０００２】
用紙を搬送しつつ前記用紙に画像を形成する画像形成システムでは、搬送途中で搬送が円滑になされずに用紙同士が搬送経路上で重なってしまう場合（以下重送という）がある。重送が発生すると、用紙搬送部に設けられた搬送ローラなどを駆動するモータで過負荷が生じ、ＳＣ（サービスマンコール）停止したり、何らかのジャムを検知し搬送が停止するまで不要に搬送し続けてしまったりする問題が生じる。
このため従来から、搬送経路途中の適所に重送検知部を設け、重送を速やかに検知して搬送状態を良好に制御する方法が採られている。
例えば、特許文献１では、超音波を用紙側に照射し用紙を透過する超音波の受信波によって用紙の重送を検知している。
また、特許文献２では、用紙に向けて照射される光の透過光を受信する重送検知部によって用紙の重送を検知している。
【先行技術文献】
【特許文献】
【０００３】
【特許文献１】特開２００９−２９２５４９号公報
【特許文献２】特開２００３−１３７４５７号公報
【発明の概要】
【発明が解決しようとする課題】
【０００４】
しかし、従来の重送検知では、一つの重送検知部で一つの形式で検知を行っており、封筒や特殊な用紙を通紙する場合には、超音波や透過光の検出を確実に行うことができず、重送誤検知をしてしまう。このため、封筒や特殊な用紙の搬送では重送検知をオフする必要があり、重送を検知することができない。このため、一部の用紙に対しては重送を検知しつつ搬送制御を行うことができず、実際に重送が発生すると前記したような不具合が発生してしまう。
封筒や特殊な用紙のために、別の重送検知手段を設けて重送検知を行うことも可能であるが、装置コストが増加してしまう問題がある。
【０００５】
本願発明は、上記事情を背景としてなされたものであり、用紙の種別などに拘わらず、重送を正確に検知することができる画像形成システムおよび画像形成システムの重送判定方法を提供することを目的とする。
【課題を解決するための手段】
【０００６】
すなわち、本発明の画像形成システムのうち、第１の本発明は、用紙を収容する給紙トレイと、前記給紙トレイから給紙される前記用紙を搬送する用紙搬送部と、前記用紙搬送部で搬送される用紙の重送を検知する重送検知部と、前記搬送および前記重送の検知を制御する制御部とを備え、
前記制御部は、前記重送検知部の検知結果に基づき重送の検知を行うとともに、該検知結果に対する複数の検知方式を切り替えることを特徴とする。
【０００７】
第２の本発明の画像形成システムは、前記第１の本発明において、前記制御部は、搬送する用紙の情報に基づいて前記検知方式を切り替えることを特徴とする。
【０００８】
第３の本発明の画像形成システムは、前記第２の本発明において、前記用紙の情報が、用紙の紙種、用紙サイズ、坪量のうちの少なくとも１つであることを特徴とする。
【０００９】
第４の本発明の画像形成システムは、前記第１〜第３の本発明のいずれかにおいて、前記制御部は、用紙が給紙されるトレイに対する検知設定に応じて前記検知方式を切り替えることを特徴とする。
【００１０】
第５の本発明の画像形成システムは、前記第１〜第４の本発明のいずれかにおいて、前記制御部は、前記検知方式の切り替えに関するユーザー設定を可能にすることを特徴とする。
【００１１】
第６の本発明の画像形成システムは、前記第１〜第５の本発明のいずれかにおいて、前記制御部は、前記検知方式の切り替えに関し、ユーザー設定と印刷条件とによる設定を両方を有する場合、前記ユーザー設定を優先して前記検知方式の切り替えを行うことを特徴とする。
【００１２】
第７の本発明の画像形成システムは、前記第１〜第６の本発明のいずれかにおいて、前記制御部は、前記複数の方式のうち、通常は第１の検知方式を用い、条件に応じて第２の検知方式に切り替えて前記重送の検知を行うことを特徴とする。
【００１３】
第８の本発明の画像形成システムは、前記第１〜第６の本発明のいずれかにおいて、前記制御部は、前記複数の方式のうち、通常は第１の検知方式と第２の検知方式を併用し、条件に応じて第２の検知方式のみに切り替えて前記重送の検知を行うことを特徴とする。
【００１４】
第９の本発明の画像形成システムは、前記第１〜第８の本発明のいずれかにおいて、前記制御部は、前記複数の方式のうち、前記第１の検知方式は、用紙の重なりを検知することを特徴とする。
【００１５】
第１０の本発明の画像形成システムは、前記第１〜第９の本発明のいずれかにおいて、前記制御部は、前記複数の方式のうち、前記第２の検知方式は、用紙の通紙方向長さを検出することを特徴とする。
【００１６】
第１１の本発明の画像形成システムは、前記第１０の本発明において、前記第２の検知方式で用紙の通紙方向長さを検出する際のマージンは、通紙方向長さを検出する他の検知部とは異なるマージンとすることを特徴とする。
【００１７】
第１２の本発明の画像形成システムは、前記第１１の本発明において、前記重送検知部が超音波を用いたものであり、前記他の検知部が光透過を用いたものであることを特徴とする。
【００１８】
第１３の本発明の画像形成システムは、前記第７〜第１２の本発明のいずれかにおいて、前記制御部は、前記第１の検知方式と前記第２の検知方式とで、判定に用いる検知結果のしきい値を異なるものにすることを特徴とする。
【００１９】
第１４の本発明の画像形成システムは、前記第１〜第１３の本発明のいずれかにおいて、前記重送検知部が、放射量が一定の超音波センサまたは光センサであることを特徴とする。
【００２０】
第１５の本発明の画像形成システムの重送判定方法は、搬送される用紙を重送検知部で検知する際に、前記重送検知部の検知結果に基づき重送の検知を行うとともに、該検知結果に対する複数の検知方式を切り替えることを特徴とする。
【００２１】
第１６の本発明の画像形成システムの重送判定方法は、前記第１５の本発明において、搬送する用紙の情報に基づいて前記検知方式を切り替えて前記重送の検知を行うことを特徴とする。
【００２２】
第１７の本発明の画像形成システムの重送判定方法は、前記第１５または第１６の本発明において、画像形成に際し、通常は第１の検知方式を用い、条件に応じて第２の検知方式に切り替えて前記重送の検知を行うことを特徴とする。
【００２３】
第１８の本発明の画像形成システムの重送判定方法は、前記第１５または第１６の本発明において、画像形成に際し、通常は第１の検知方式と第２の検知方式を併用し、条件に応じて第２の検知方式のみに切り替えて前記重送の検知を行うことを特徴とする。
【００２４】
第１９の本発明の画像形成システムの重送判定方法は、前記第１４〜第１８の本発明のいずれかにおいて、前記第１の検知方式は、用紙の重なりを検知することを特徴とする。
【００２５】
第２０の本発明の画像形成システムの重送判定方法は、前記第１４〜第１９の本発明のいずれかにおいて、前記第２の検知方式は、用紙の通紙方向長さを検出することを特徴とする。
【００２６】
第２１の本発明の画像形成システムの重送判定方法は、前記第１５または第１６の本発明において、用紙が給紙されるトレイに対する検知設定に応じて前記検知方式を切り替えて前記重送の検知を行うことを特徴とする。
【発明の効果】
【００２７】
すなわち、本発明によれば、通常の重送判定では重送検知が行えない用紙でも、重送を検知してできるだけ早く搬送を停止して無駄な用紙の搬送を防ぐことができ、用紙搬送モータ類の過負荷によるＳＣ（サービスマンコール）停止を防ぎ、リカバリーが可能になる。ＳＣ停止すると電源ＯＦＦ／ＯＮしなければならず、生産効率が低下する。
【図面の簡単な説明】
【００２８】
【図１】本発明の画像形成システムの概略構成図である。
【図２】同じく、制御ブロック図である。
【図３】同じく、用紙搬送経路の概略を示す図である。
【図４】同じく、用紙種類設定画面を示す図である。
【図５】同じく、重送検知切り替え判断処理の手順を示すフローチャートである。
【図６】同じく、重送検知判断処理の手順を示すフローチャートである。
【発明を実施するための形態】
【００２９】
以下に、本発明の一実施形態について添付図面に基づいて説明する。
この実施形態の画像形成システム１は、大容量給紙装置３０と、大容量給紙装置３０の用紙搬送方向下流側に接続されたカラーの画像形成装置１０と、画像形成装置１０の用紙搬送方向下流側に接続された後処理装置２０とで構成されている。
【００３０】
ただし、本願発明の画像形成システムの構成が上記に限定されるものではなく、画像形成装置のみによって画像形成システムが構成されているものであってもよく、画像形成装置と、給紙装置や後処理装置との組み合わせなどによって画像形成システムが構成されているものであってもよく、本実施形態の構成にさらに他の装置が接続されたものであってもよい。
【００３１】
大容量給紙装置３０は、ＰＦＵユニットを３段２列で有し、各ユニットに設けられたＰＦＵトレイに接続された搬送経路が、画像形成装置１０の搬送経路に接続されている。ＰＦＵユニットは、本発明の給紙トレイに相当する。本発明としては大容量給紙装置３０における給紙トレイの数が特に限定されるものではなく、前述したように、ＰＦＵトレイを有しないものであってもよい。
大容量給紙装置３０の搬送経路は、搬送ローラや駆動部などとともに本発明の用紙搬送部の一部を構成している。
【００３２】
画像形成装置１０は、画像形成装置本体１０Ａの上部側に、スキャナー部１３が設けられており、プラテンガラス１３ＡやＡＤＦ原稿読み取り用スリットガラス１３Ｂを通して原稿の画像読取が可能になっている。
また、画像形成装置本体１０Ａの上部側で、プラテンガラス１３Ａが位置しない箇所に、タッチパネルからなる操作部１４が設けられており、操作者による操作および情報の表示が可能になっている。この実施形態では、操作部１４は、タッチパネルによって操作部を構成するとともに表示部を兼用している。なお、本発明としては、操作部と表示部とを別体で構成することも可能である。
【００３３】
画像形成部１１では、各色（シアン、マゼンタ、イエロー、ブラックなど）用にタンデム構成に４つの画像形成ユニットを有している。画像形成ユニットでは、それぞれに用意された感光体を有し、各感光体の周線部に帯電器、ＬＤからなる書き込み部、現像ユニットが配設されている。
【００３４】
帯電器によって帯電した感光体表面は、画像メモリーなどに記録された原稿の画像情報に基づいて書き込み部により像露光が行われ、感光体表面には潜像が形成される。該潜像は現像ユニットによって現像がなされてトナー像となる。トナー像は、中間転写ベルト１１Ｄに転写され、該中間転写ベルト１１Ｄから二次転写ローラー１１Ｅによって搬送経路１５で搬送される用紙に転写される。転写された用紙は定着装置１６によって加熱定着されて後処理装置２０に排出される。
【００３５】
また、画像形成部１１では、各感光体に対応して、中間転写ベルト１１Ｄとの接触位置よりも回転方向側かつ帯電器よりも回転方向逆側で、各感光体に接触して残留トナーを除去するクリーニング部が配置されている。また、中間転写ベルト１１Ｄの用紙転写位置よりも回転方向側かつ各感光体との転写位置よりも回転方向逆側に、該中間転写ベルト１１Ｄの残留トナーを除去するクリーニング部が配置されている。
なお、上記した各感光体１１は、図示しない駆動モータによって回転駆動され、中間転写ベルト１１Ｄも同じく図示しない駆動モータによって回転駆動される。
【００３６】
また、画像形成装置１０には、前記画像形成部１１の下方側に、用紙を収納した給紙トレイ１２が配置されている。本実施形態では、３段の給紙トレイが画像形成装置１０に備えられている。本発明としては、給紙トレイの数が限定されるものではない。
【００３７】
各給紙トレイ１２には給紙搬送経路１２Ａが接続されており、給紙搬送経路１２Ａは搬送経路１５に合流している。前記搬送経路１５は、画像形成部１１に至り、さらに画像形成部１１から後処理装置２０の搬送経路に接続されている。
搬送経路１５や給紙搬送経路１２Ａは、搬送ローラや駆動部などとともに本発明の用紙搬送部の一部を構成している。
【００３８】
また、搬送経路１５には、画像形成部１１の用紙搬送方向上流側で用紙を突き当てて傾きを修正する対のレジストローラー１５Ｂが配置されている。
レジストローラー１５Ｂは、中間転写ベルト１１Ｄ上に作像されたトナー像を、給紙された用紙へ位置精度良く転写させるために用紙を一時停止させ、トナー像とのタイミングを取って用紙上へ転写させるものである。
【００３９】
搬送経路１５では、給紙トレイ１２に収容されている用紙が給紙搬送経路１２Ａを介して給紙され、レジストローラー１５Ｂを経て、二次転写ローラー１１Ｅに搬送される。二次転写ローラー１１Ｅでは、用紙上に中間転写ベルト１１Ｄ上のカラー画像やモノクロ画像が転写される。画像が転写された用紙は、定着装置１６にて熱と圧力とを加えることにより用紙上のトナー像が定着される。
また、搬送経路１５では、大容量給紙装置３０から用紙が導入される場合、大容量給紙装置３０から用紙を受けて上記と同様に用紙を画像形成に供する。
【００４０】
また、画像形成装置１０は用紙反転搬送経路１５Ａを備えており、定着がなされた用紙を定着装置１６から用紙反転搬送経路１５Ａに導いて表裏を反転しフェイスダウンで画像形成装置本体１０Ａ外に排出し、あるいは両面モードにおいて用紙の両面に画像形成を行うことを可能としている。用紙反転搬送経路１５Ａは、レジストローラー１５Ｂの上流側で搬送経路１５に合流しており、両面モードでは用紙を環流させて用紙の裏面側に画像形成を行うことができる。
【００４１】
図２は、画像形成システム１の回路ブロックを示しており、画像形成システムの全体ブロック図である。その内容を以下に詳細に説明する。
画像形成システムは、操作パネル制御部１４０、システム制御部１００、エンジン制御部１１０、後処理制御部１６０の大きく４つで構成されている。システム制御部１００でシステムの管理、全体の統括を行い、エンジン制御部１１０にて用紙の搬送制御やトナー像の作像制御といった実動作部分を担っている。
【００４２】
システム制御部１００は、画像形成装置本体１０Ａに備えられており、ＣＰＵとこれを動作させるプログラム、作業領域となるＲＡＭ、プログラムなどを格納したＲＯＭ、動作パラメータなどを格納したフラッシュメモリなどにより構成される。システム制御部１００は、フラッシュメモリに格納された動作パラメータや操作パネル制御部１４０を通した設定内容によって制御を行う。システム制御部１００は、本発明の制御部として機能する。
システム制御部１００には、操作パネル制御部１４０が接続されている。操作パネル制御部１４０は、画像形成装置本体１０Ａに備えられており、システム制御部１００の指令によって操作パネル１４を制御する。
【００４３】
操作パネル制御部１４０には、トレイ選択・設定部１４１と用紙設定部１４２とが設けられている。トレイ選択・設定部１４１および用紙設定部１４２は、システム制御部１００の指令によって操作パネル制御部１４０が操作部１４を制御して、操作部１４上でトレイ選択・設定や用紙設定を操作入力可能にする。トレイ選択・設定部１４１では、給紙トレイの選択や給紙トレイにおける用紙の選択などの設定を行うことができる。用紙設定部１４２は、用紙の種類毎に用紙の紙種や斤量などの設定を行うことができる。
【００４４】
システム制御部１００には、画像形成装置本体１０Ａに備えられたエンジン制御部１１０が接続されている。エンジン制御部１１０は、画像形成システム１における画像形成動作、搬送動作、後処理動作などを制御するものであり、ＣＰＵとこれを動作させるプログラムなどにより構成される。
また、大容量給紙装置３０は、切り離し可能なオプション機構であるが、大容量給紙装置３０自体の搬送やその他制御はエンジン制御部１１０で行っている。
【００４５】
エンジン制御部１１０には、後処理装置２０に備えられた後処理制御部１６０が制御可能に接続されており、後処理制御部１６０は、エンジン制御部１１０を介しシステム制御部１００からの後処理指示内容に従い後処理側の制御を行う。また、エンジン制御部１１０には、後処理制御Ｉ／Ｆ処理部１５０が制御可能に接続されており、後処理装置との間の通信を可能にしている。
【００４６】
エンジン制御部１１０には、画像形成装置本体１０Ａに備えられた画像作像処理部１２０が制御可能に接続されている。画像作像処理部１２０では、画像データに基づいて書込部に対するデータ処理を行って画像形成部１１での画像作成を行う。
【００４７】
エンジン制御部１１０には、画像形成装置１０内に備えられ、用紙搬送を制御する用紙搬送制御部（本体）１３０が制御可能に接続されている。用紙搬送制御部（本体）１３０には、重送検知部１３１が制御可能に接続されており、重送検知部１３１の検知結果は、用紙搬送制御部（本体）１３０、エンジン制御部１１０を介してシステム制御部１００に送信される。
【００４８】
また、エンジン制御部１１０には、大容量給紙装置３０内の用紙搬送を制御する用紙搬送制御部（ＰＦＵ）２３０が制御可能に接続されている。用紙搬送制御部（ＰＦＵ）２３０には、重送検知部２３１が制御可能に接続されており、重送検知部２３１の検知結果は、用紙搬送制御部（ＰＦＵ）２３０、エンジン制御部１１０を介してシステム制御部１００に送信される。
【００４９】
重送検知部１３１、２３１は、搬送経路を搬送される用紙に設定位置から超音波を照射し、用紙を透過した超音波を受信し、受信波に応じて用紙の重送判定を行うものである。重送検知部１３１、１４１の検知結果を受けるシステム制御部１００では、用紙の重なりを検知する方式と、用紙の通紙方向長さを検知する方式の２つの方式によって重送の判定を行うことが可能になっている。重送検知部１３１、２３１では、一定量の超音波を照射して２つの方式で重送検知を行うことを可能にする。
なお、重送検知部の構成が上記に限定されるものではなく、光透過を利用した構成などとすることも可能である。また、重送検知部の一部では、２つの方式を利用していないものが含まれていてもよい。
【００５０】
次に、搬送経路の構成について図３の概略図に基づいて説明する。
大容量給紙装置３０では、図１示左列のＰＦＵトレイ１、２、３と図１示右列のＰＦＵトレイ４、５、６とを有している。ＰＦＵトレイ１、２、３には搬送経路３２が接続されており、搬送経路３２は、画像形成装置１０の搬送経路１５に接続されている。ＰＦＵトレイ４、５、６には、搬送経路３１が接続されており、搬送経路３１は搬送経路３２に合流している。これによりＰＦＵトレイ１、２、３の用紙は、搬送経路３２を通して画像形成装置１０の搬送経路１５に用紙を搬送することができ、ＰＦＵトレイ４、５、６の用紙は、搬送経路３１、搬送経路３２を通して画像形成装置１０の搬送経路１５に用紙を搬送することができる。
【００５１】
大容量給紙装置３０では、各ＰＦＵトレイ４、５、６の搬送経路が合流した搬送経路３１に、重送検知部２３１の一つである重送検知センサー２３１Ａが設けられており、搬送経路３１で搬送される用紙の重送を検知する。また、搬送経路３２には、各ＰＦＵトレイ１、２、３の搬送経路が合流した搬送経路３２に、重送検知部２３１の一つである重送検知センサー２３１Ｂが設けられており、搬送経路３２で搬送される用紙の重送を検知する。
画像形成装置１０では、各段の給紙トレイ１２からの搬送経路が合流した給紙搬送経路１２Ａに、重送検知部１３１の一つである重送検知センサー１３１Ａが設けられており、給紙搬送経路１２Ａで搬送される用紙の重送を検知する。
【００５２】
本実施形態では、各給紙トレイの合流ポイント後に重送検知センサーを設けている。これにより重送検知部の数を少なくすることができる。なお、機械構成に応じてトレイ毎にセンサーを設けたり、下流側で検知する程、重送の検知も遅れてしまうことも考慮しセンサーの設置数を減らしても良い。
【００５３】
各トレイから給紙された用紙は、各々対応する重送検知センサー部で重送検知を行い、重送していない場合には搬送を継続し、画像形成装置１０のレジスト部１５Ｂへ用紙を到達させ、作像を行う。作像された用紙は、定着装置１６の定着ローラ１６Ａで加熱、加圧されて画像の定着が行われ、後処理装置２０に排出される。
【００５４】
システム制御部１００では、重送検知センサー１３１Ａ、２３１Ａ、２３１Ｂの検知に対し、それぞれセンサー１つに対し、重送検知方式を２つ有している。第１の検知方式は、通常の超音波量の違いにより重送検知を行う方法であり、第２の検知方式は通常の検知方法では重送と検知する用紙（封筒や特殊紙）に対し、重送と判断出来る超音波量を検出した場合には用紙有り、そうでない場合には用紙無しと判断することにより用紙の後端抜けを判断する。想定するタイミングより後端抜けが遅い場合には、重送により用紙を規定サイズより長く検出していると判断することができる。
重送検知方式は、例えば、紙種、用紙サイズ、坪量などの用紙の情報に基づいて使用方式を設定することができる。
【００５５】
図４に操作部１４に表示された用紙種類設定画面１４００を示す。
用紙種類設定画面１４００では、給紙トレイ毎に用紙設定画面が設けられており、図のように用紙種類釦１４０１によって用紙種類を選択、設定が可能である。この実施形態では、用紙種類として普通紙、上質紙、カラー用紙、封筒、塗工紙（坪量に応じて設定可能）の５種の設定を設けている。用紙種類釦１４０１に表示された紙種リストから希望の紙種を選択することができる。
【００５６】
用紙の種類に応じて、使用される検知方式がいずれか一方、または両方を併用するかを設定しておくことができ、用紙の種類の決定に伴って検知方式が決定されるようにしてもよい。用紙の種類に応じた設定は、例えばシステム制御部１００のフラッシュメモリなどに格納しておくことができる。この設定を、操作部１４を通してユーザーが変更、削除、新設などできるようにしてもよい。検知方式は、給紙トレイにおける設定内容としてフラッシュメモリなどに格納しておき、使用する給紙トレイに際し、設定内容を読み出して重送検出に用いることができる。
また、上記設定の他に、ユーザーが給紙トレイ毎に任意に使用する方式を設定できるようにしてもよい。用紙の情報などの印刷条件による設定とユーザーの設定とは、いずれか一方のみが可能なものであってもよいが、両方が設定されている場合には、ユーザーの設定を優先するのが望ましい。これによりユーザーが使用する用紙が特殊なものであっても、ユーザーの判断で最適な重送検知方式を用いて通紙することが可能になる。
【００５７】
また、用紙種類設定画面１４００では、給紙トレイ毎に重送検知の有無の設定が可能であり、重送検知釦１４０２において、検知ありと検知なしとを選択することができる。
「普通紙」であっても、一部が二重になっている特殊な用紙等をユーザーが用いる場合も考慮し、トレイ毎に重送検知の有無をユーザー設定可能としている。普通紙であっても特殊な用紙を使用する場合には「検知しない」を選択することで、第２の検知方式で制御を行う。
【００５８】
上記のように、用紙の紙種類設定に応じて、重送検出を第１の方式、あるいは第２の方式もしくは両方の併用で行うかを判断することができる。紙種類によって選択する検知方式の判定手順を図５のフローチャートに基づいて説明する。以下の手順は、システム制御部１００の制御によって実行される。
【００５９】
重送検知切り替え判断処理では、給紙指示を待ち（ステップｓ１、Ｎｏ）、給紙指示があると（ステップｓ１、Ｙｅｓ）、用紙種類は封筒以外かを判定する（ステップｓ２）。用紙種類が封筒以外であれば（ステップｓ２、Ｙｅｓ）、給紙トレイは重送検知ありの設定であるかの判定を行う（ステップｓ３）。また、用紙種類が封筒であれば（ステップｓ２、Ｎｏ）、重送検知方式を第２検知方式に設定し、手順を終了する。
ステップｓ３で、重送検知ありの設定がされている場合（ステップｓ３、Ｙｅｓ）、重送検知方式を第１検知方式または第１、第２検知方式を併用する、に設定する（ステップｓ４）。
ステップｓ３で、給紙トレイで重送検知なしの設定がされている場合（ステップｓ３、Ｎｏ）、重送検知方式を第２検知方式に設定し（ステップｓ５）、処理を終了する。
【００６０】
上記のように用紙種類として「封筒」が選択された場合には、前述の通り第１の検知方式は行えないため、必ず第２の検知方式を選択する。（用紙種類設定画面１４００上は「検知あり」はグレーアウト等とし、ユーザーが選択出来ないように表示する）。第１の検知方法で重送検知が可能な場合、第２の検知方式を併用しても良い。
上記で示した通り、第１の検知方式、第２の検知方式の切り替え判断手段にて決定した検知方式に従って重送判定が行われる。
【００６１】
次に、重送検知の判断処理の手順を図６のフローチャートに基づいて説明する。以下の手順は、システム制御部１００の制御によって実行される。
先ず、第１検知方式を使用しているかを判定する（ステップｓ１０）。第１検知方式を使用している場合（ステップｓ１０、Ｙｅｓ）、検知開始タイミングかを判定する（ステップｓ１１）。検知開始タイミングは、用紙先端がセンサに検知したかで判定する。検知開始タイミングでなければ、検知開始まで待機する（ステップｓ１１、Ｎｏ）。
【００６２】
重送検知制御開始となる、対象用紙先端の重送検知センサへの到達タイミングであるかは、重送検知センサの閾値から検出しても良いが、用紙の有無検出に関しては、通常の用紙搬送制御で使用する反射型のセンサよりも検出精度が劣る可能性が考えられる。用紙搬送方向からみて１つ上流に用紙搬送制御用の反射型センサを有している場合は、該反射型センサからの用紙搬送開始時刻から到達時刻を求めて到達タイミングを判定しても良い。
【００６３】
検知開始タイミングになっていれば（ステップｓ１１、Ｙｅｓ）、用紙先端到達時刻を記録し（ステップｓ１２）、検知完了タイミングかを判定する（ステップｓ１３）。検知完了は、用紙後端到達が完了したタイミングで判定する。
検知完了タイミングに達していなければ（ステップｓ１３、Ｎｏ）、１００ｍｓｅｃのディレイを行った後、重送検知したかを判定する（ステップｓ１５）。
【００６４】
第１の検知方式は、対象となる用紙先端が重送検知センサへ到達したタイミングから１００ｍｓｅｃ周期で重送検知センサ値を検出し、重送と判断出来る閾値か否かを判断する。
重送検知をしていなければ（ステップｓ１５、Ｎｏ）、ステップｓ１３に戻って処理を継続し、重送検知をしていれば（ステップｓ１５、Ｙｅｓ）、重送ＪＡＭが生じたものとして搬送を停止し（ステップｓ１６）、処理を終了する。検出は、上記のように用紙後端が重送検知センサへ到達するまで繰り返し実施する。なお、ディレイにおける数値は、センサの検知能力や制御負担などを考慮して適宜の数値に設定することができる。
【００６５】
ステップｓ１３で、検知完了タイミングに達していれば（ステップｓ１３、Ｙｅｓ）、第１、第２検知併用かを判定し（ステップｓ１７）、第１、第２検知併用でなければ（ステップｓ１７、Ｎｏ）、重送無し（正常動作；ステップｓ２１）として処理を終了する。
【００６６】
ステップｓ１７で第１、第２検知を併用している場合（ステップｓ１７、Ｙｅｓ）、後端Ｘｍｍが経過したかを判定し（ステップｓ１８）、後端Ｘｍｍを経過するまで待機する（ステップｓ１８、Ｎｏ）。
第２の検知方式は、重送検知センサからの用紙後端抜けタイミングを検出することで重送を検出するものである。用紙の通紙方向サイズに応じて後端抜けの時刻を算出し、マージンをＸｍｍ設ける。
【００６７】
後端Ｘｍｍを経過すると（ステップｓ１８、Ｙｅｓ）、用紙あり（重送検知状態）かを判定する（ステップｓ１９）。用紙ありであれば（ステップｓ１９、Ｙｅｓ）、重送検知として重送ＪＡＭ停止をし（ステップｓ２０）、手順を終了する。用紙ありでなければ（ステップｓ１９、Ｎｏ）、重送無し（正常動作；ステップｓ２１）として手順を終了する。
【００６８】
上記では、マージンを含めた時刻を経過しても、未だ用紙あり（重送検知）状態であれば、重送と判断する。このときの用紙ありと判断する超音波検出量の閾値は、誤検知を防ぐため、第１の検知方式とは異なる閾値にしても良い。この場合、元々重送と検出する用紙であるため、より重送と判断する側の閥値に切り替えることができる。
また、この時のマージンＸｍｍは、反射型のセンサにて紙の後端抜けを検出するよりも精度が劣る場合も考慮し、通常より多めにマージンを設けるようにしてもよい。
【００６９】
ステップｓ１０で、第１検知方式を使用しない場合（ステップｓ１０、Ｎｏ）、第２方式を使用するものとして、対象用紙先端のセンサ到達を待つ（ステップｓ２２、Ｎｏ）。
重送検知制御開始となる、対象用紙先端の重送検知センサへの到達タイミングは、ステップｓ１１と同様に、重送検知センサの閾値から検出しても良いが、用紙の有無検出に関しては通常の用紙搬送制御で使用する反射型のセンサよりも検出精度が劣る可能性が考えられる。用紙搬送方向からみて１つ上流に用紙搬送制御用の反射型センサを有している場合は、該反射型センサからの用紙搬送開始時刻から到達時刻を求めて到達を判定しても良い。
【００７０】
用紙先端センサ到達であれば（ステップｓ２２、Ｙｅｓ）、用紙先端到達時刻を記録し（ステップｓ２３）、検知完了タイミングかを判定する（ステップｓ２４）。
検知完了タイミングになれば（ステップｓ２４、Ｙｅｓ）、用紙の通紙方向サイズに応じて後端抜けの時刻を算出し、マージンをＸｍｍ設け、後端Ｘｍｍが経過したかを判定する（ステップｓ２５）。
【００７１】
後端がＸｍｍ経過するのを待機し（ステップｓ２５、Ｎｏ）、Ｘｍｍ経過後（ステップｓ２５、Ｙｅｓ）、用紙あり（重送検知状態）かを判定する（ステップｓ２６）。
マージンを含めた時刻を経過しても、未だ用紙あり（重送検知）状態であれば、重送と判断することができる。
用紙ありであれば（ステップｓ２６、Ｙｅｓ）、重送検知として重送ＪＡＭ停止をし（ステップｓ２７）、手順を終了する。用紙ありでなければ（ステップｓ２６、Ｎｏ）、重送無し（正常動作；ステップｓ２８）として手順を終了する。
【００７２】
このときの用紙ありと判断する超音波検出量の閾値は、誤検知を防ぐ為第１の検知方式とは異なる閾値にしても良い。この場合、元々重送と検出する用紙であるため、より重送と判断する側の閥値に切り替えることができる。また、この時のマージンＸｍｍは、反射型のセンサにて紙の後端抜けを検出するよりも精度が劣る場合も考慮し、通常より多めにマージンを設けることができる。
【００７３】
以上、本発明について上記実施形態に基づいて説明を行ったが、本発明の範囲を逸脱しない限りは適宜の変更が可能である。
【符号の説明】
【００７４】
１    画像形成システム
１０    画像形成装置
１１    画像形成部
１２    給紙トレイ
１２Ａ  給紙搬送経路
１４    操作部
１５    搬送経路
１５Ａ  反転搬送経路
２０    後処理装置
３０    大容量給紙装置
３１    搬送経路
３２    搬送経路
１００    システム制御部
１１０    エンジン制御部
１３１    重送検知部
１３１Ａ  重送検知センサ
２３１    重送検知部
２３１Ａ  重送検知センサ
２３１Ｂ  重送検知センサ
【図１】
2015074532.tif 000003
【図２】
2015074532.tif 000004
【図３】
2015074532.tif 000005
【図４】
2015074532.tif 000006
【図５】
2015074532.tif 000007
【図６】
2015074532.tif 000008